(57)【要約】      （修正有）【課題】踏み段の踏み面と蹴上げ面の双方を容易に清掃することができるエスカレータの踏み段清掃装置を提供する。【解決手段】エスカレータの踏み段清掃装置は、エスカレータの踏み段２を収容する上面が開放された容器１１と、この容器の底部に設けられ収容した踏み段の踏み面２ａ及び蹴上げ面２ｂが上方を向くように支持する踏み段支持部材１２と、上記踏み段の踏み面及び蹴上げ面を洗浄するスチーム洗浄機１４とを備える。【選択図】図１
2006264816.tif 000002
【特許請求の範囲】
【請求項１】
エスカレータの踏み段を収容する上面が開放された容器と、この容器の底部に設けられ収容した踏み段の踏み面及び蹴上げ面が上方を向くように支持する踏み段支持部材と、上記踏み段の踏み面及び蹴上げ面を洗浄するスチーム洗浄機とを備えたことを特徴とするエスカレータの踏み段清掃装置。
【請求項２】
上記踏み段支持部材は、上記踏み段に設けられたローラを支持する凹部からなるローラ保持部が形成されてなることを特徴とする請求項１に記載のエスカレータの踏み段清掃装置。
【請求項３】
上記容器は、風呂桶状の可搬形に形成されてなることを特徴とする請求項１または請求項２に記載のエスカレータの踏み段清掃装置。
【発明の詳細な説明】
【技術分野】
【０００１】
この発明はエスカレータの保守に用いられるエスカレータの踏み段清掃装置に関する。
【背景技術】
【０００２】
エスカレータの稼動中は、踏み段を駆動している踏み段鎖への給油が行なわれており、油の一部が踏み段にも飛散し、塵埃とともに付着するため、特に踏み段鎖に近い踏み段の両側方端部の汚れが目立つ。このため、踏み段の踏み面の両側方端部に設けられている黄色の注意マークが見えにくくなり、乗客の安全確保に支障を来したり、また、同様の原因による蹴上げ面の汚れにより乗客の衣服の裾、あるいは、鞄や荷物が蹴上げ面に接触したときに汚れる場合がある等の問題を抱えていた。この油を含んだ塵埃の清掃のため、エスカレータ機械室内で、スチームを踏み段の汚れ個所に吹き付けながら、清掃体で汚れをこすり取る方法が提案されている（例えば特許文献１参照。）。
【０００３】
【特許文献１】特開２００１−２２００８４号公報（第１頁、図１）
【発明の開示】
【発明が解決しようとする課題】
【０００４】
上記のような従来技術においては、踏み段の踏み面の清掃は可能であるが、蹴上げ面についてはスチームや清掃体が届かず、清掃が不完全で、相変わらず、乗客の衣服あるいは鞄や荷物などが汚れる場合があるという課題があった。
【０００５】
この発明は上記のような従来技術の課題を解消するためになされたもので、踏み段の踏み面と蹴上げ面の双方を容易に清掃することができるエスカレータの踏み段清掃装置を提供することを目的としている。
【課題を解決するための手段】
【０００６】
この発明によるエスカレータの踏み段清掃装置は、エスカレータの踏み段を収容する上面が開放された容器と、この容器の底部に設けられ収容した踏み段の踏み面及び蹴上げ面が上方を向くように支持する踏み段支持部材と、上記踏み段の踏み面及び蹴上げ面を洗浄するスチーム洗浄機とを備えるようにしたものである。
【発明の効果】
【０００７】
この発明においては、エスカレータの踏み段を収容する上面が開放された容器内に、該エスカレータの踏み段の踏み面及び蹴上げ面が上方を向くように支持する踏み段支持部材を設け、この支持部材に踏み段の踏み面及び蹴上げ面が上方を向くように収容し、スチーム洗浄機で上方を向いた踏み段の踏み面及び蹴上げ面を清掃するようにしたことにより、踏み段の踏み面と蹴上げ面の双方を容易に清掃することができる。
【発明を実施するための最良の形態】
【０００８】
実施の形態１．
図１はこの発明の実施の形態１によるエスカレータの踏み段清掃装置を示す側面断面図である。図において、エスカレータの踏み段清掃装置１は、エスカレータの踏み段２を収容する上面１１ａが開放された容器１１と、この容器１の底部１１ｂに設けられ、踏み段２の踏み板部分である踏み面２ａと蹴上げ面２ｂが上方を向くように支持する踏み段支持部材１２と、踏み段２を高温のスチーム１３で洗浄するためのスチーム洗浄機１４と、スチーム１３で落ちない汚れを擦り取るためのロータリーブラシ１５ａを有するブラシ洗浄機１５とから構成されている。
【０００９】
上記容器１１は、可搬形の風呂桶状に形成されており、上端部には容器強度を確保すると共に運搬時に持ち易くするための鍔状の縁部１１ｃが形成され、底部には固定脚１１ｄが設けられている。上記踏み段支持部材１２の一端部には、踏み段２の後部のローラ２ｃを受け入れ、保持する凹部からなるローラ保持部１２ａが形成され、他端部には踏み段２の前部に設けられた軸受部２ｄを保持する凹部からなる支え軸１２ｂが設けられ、これらローラ保持部１２ａと支え軸１２ｂとは、図示省略しているエスカレータから外し出した踏み段２をセットしたときに、踏み面２ａ及び蹴上げ面２ｂの何れもが上方向を向くように支え軸１２ｂの側が所定寸法高く設定されている。なお、容器１１は、踏み段支持部材１２に踏み段２をセットしたときに、踏み段２の少なくとも過半部が縁部１１ｃの下側に隠れる程度の深さを有している。
【００１０】
上記スチーム洗浄機１４は、筐体内に収容した何れも図示を省略している水をヒータにより蒸発させ、耐熱ホース１４ａを通じてその先端部に設けられたノズル１４ｂから高温のスチーム１３として洗浄対象物に向けて噴出させるように構成されたものであり、この実施の形態１では筐体底部に洗浄操作時の移動を容易にするためのキャスター１４ｃが取り付けられている。また、上記ブラシ洗浄機１５は、例えば既成のベルトサンダーを改造して、回転軸を有する筒体に、放射状にブラシを植え込んだロータリーブラシ１５ａを回転駆動するようにしたもので、周辺機材として用いられる。
【００１１】
次に上記のように構成された実施の形態１の動作について説明する。まず、踏み段支持部材１２を、風呂桶状の容器１１内の底部１１ｂにセットする。併せて、スチーム洗浄機１４を付属品の耐熱ホース１４ａ、ノズル１４ｂを含めて準備する。次に、図示を省略しているエスカレータから取り外した踏み段２を、その後部のローラ２ｃが、風呂桶状の容器１１内にセットされた踏み段支持部材１２のローラ保持部１２ａにはまるように置いた後、このローラ２ｃを支点として、踏み段２を前傾させて、軸受部２ｄが、踏み段支持部材１２の支え軸１２ｂに噛み合あうようにセットして固定する。
【００１２】
これにより、踏み段２は踏み面２ａと蹴上げ面２ｂのいずれもが、清掃できる姿勢となって容器１１内に確実に保持される。次に、スチーム洗浄機１４により、耐熱ホース１４ａを経由してノズル１４ｂから高温のスチーム１３を充分噴出させ、踏み段２の踏み面２ａ、及び蹴上げ面２ｂに噴射する。スチーム１３により浮き上がった油及び塵埃などは、ブラシ洗浄機１５で高速回転させたロータリーブラシ１５ａにより掻きだす。掻きだし後に汚れが残った場合は、更にウエス等で適宜汚れを拭き取ることにより、踏み段２は、踏み面２ａ、蹴上げ面２ｂのいずれもが満足のいく清掃面となる。清掃が完了した踏み段２は、再びエスカレータに戻されるとともに、次の汚れた踏み段２をセットして、同様の手順で順次清掃される。
【００１３】
なお、スチーム洗浄により踏み段２の表面部で凝縮し、踏み面２ａや蹴上げ面２ｂを洗浄した汚れを含んだ水は風呂桶状の容器１１の底部に滴下して溜まるので、図示を省略している例えば排水ポンプにより別途用意された複数のプラスチック容器等に適宜収容し、別途法令に準拠した所定の浄化処理が行なわれる。溜まった水の汲み出しあるいは排水を容易にするために、例えば容器１１に排水ポンプを付設し、あるいは容器１１の底部に配水管や止水栓、開閉弁などを設けてもよい。さらに、排水口にフィルターを設け、粗大な塵埃等の流失を阻止するようにすることも好ましい。また、容器１１底部の固定脚１１ｄは、キャスターに変えて移動を容易にするようにしてもよい。さらにまた、スチーム洗浄機１４による洗浄操作は単純なパターンの繰り返しからなるので、ロボットに行わせるように構成することもできる。
【００１４】
上記説明したように、この実施の形態１によれば、エスカレータの踏み段２を容器１１の底部１１ｂに設けられた踏み段支持部材１２に、踏み面２ａ及び蹴上げ面２ｂの双方が上方を向くようにセットし、スチーム洗浄機１４で洗浄するようにしたことにより、踏み面２ａ及び蹴上げ面２ｂを容易に洗浄できる。また、風呂桶状の容器１１は踏み段２の過半部が収まる深さを有しているので洗浄水が周囲に飛散しにくい。また、スチーム洗浄時の踏み段２の踏み面２ａと蹴上げ面２ｂとの作業動線が良く、作業性が良い。さらに、踏み段２を容器１１内の踏み段支持部材１２上に置くだけで良く、作業の効率が上がるなどの効果が得られる。
【００１５】
なお、上記説明では、容器１１として、上端部が鍔状の縁部１１ｃで形成された風呂桶状の容器を用い、スチーム洗浄機１４としてキャスター１４ｃを設けたものについて説明したが、これらに限定されるものではないことは当然である。また、容器１１内に複数の踏み段２を収容して、一方で洗浄を行なっている間に他方で交換、セットを行なえるようにするなど、種々の変形や変更が可能である。
【図面の簡単な説明】
【００１６】
【図１】この発明の実施の形態１によるエスカレータの踏み段清掃装置を示す側面断面図である。
【符号の説明】
【００１７】
１  踏み段清掃装置、  ２  踏み段、  ２ａ  踏み面、  ２ｂ  蹴上げ面、  ２ｃ  ローラ、  ２ｄ  軸受部、  １１  容器、  １１ａ  上面、  １１ｂ  底部、  １１ｃ  縁部、  １１ｄ  固定脚、  １２  踏み段支持部材、  １２ａ  ローラ保持部、  １２ｂ  支え軸、  １３  スチーム、  １４  スチーム洗浄機、  １４ａ  耐熱ホース、  １４ｂ  ノズル、  １４ｃ  キャスター、  １５  ブラシ洗浄機、  １５ａ  ロータリーブラシ。
【図１】
2006264816.tif 000003